(57)【要約】【課題】光反射面と液体等の透光性物質を用い、光学性能を良好に維持できる光学ユニットを提供する。【解決手段】光学ユニットＲ１は、光反射面４と、該光反射面に面した領域を覆い、少なくとも一部に光透過部７ａ，７ｂを有するカバー部材４とを有する。該領域は液体又はゲル状態の透光性物質８で満たされている。光学ユニットは、透光性物質に圧力を加える加圧機構９〜１２を有する。【選択図】図４
2008116540.tif 000002
【特許請求の範囲】
【請求項１】
光反射面と、
該光反射面に面した領域を覆い、少なくとも一部に光透過部を有するカバー部材とを有し、
前記領域は液体又はゲル状態の透光性物質で満たされ、
前記透光性物質に圧力を加える加圧機構を有することを特徴とする光学ユニット。
【請求項２】
前記加圧機構は、前記透光性物質に加える圧力を可変とする機構であることを特徴とする請求項１に記載の光学ユニット。
【請求項３】
前記加圧機構は、前記透光性物質の圧力の変動を一定範囲内に制限する調圧機構を持っていることを特徴とする請求項１又は２に記載の光学ユニット。
【請求項４】
前記調圧機構は、透光性物質の圧力の変動を、前記透光性物質内に気泡が発生せず、かつ前記反射面及び前記光透光部に変形が生じない一定範囲内に制限することを特徴とする請求項３に記載の光学ユニット。
【請求項５】
前記光反射面は、反射ミラーにより構成されていることを特徴とする請求項１から４のいずれか１つに記載の光学ユニット。
【請求項６】
前記透光性物質の屈折率が１．０より大きいことを特徴とする請求項１から５のいずれか１つに記載の光学ユニット。
【請求項７】
前記透光性物質の屈折率が、前記光透過部の屈折率に等しいことを特徴とする請求項１から６のいずれか１つに記載の光学ユニット。
【請求項８】
前記光反射面として、互いに向きが異なる複数の面を有することを特徴とする請求項１から７のいずれか１つに記載の光学ユニット。
【請求項９】
前記光透過部のうち少なくとも一部が光拡散作用を有することを特徴とする請求項１から８のいずれか１つに記載の光学ユニット。
【請求項１０】
前記光透過部のうち少なくとも一部が曲面形状を有することを特徴とする請求項１から９のいずれか１つに記載の光学ユニット。
【請求項１１】
請求項１から１０のいずれか１つに記載の光学ユニットを含み、
前記光透光部、前記透光性物質及び前記光反射面を介した物体像の観察を可能とすることを特徴とする観察装置。
【請求項１２】
請求項１１に記載の観察装置と、
前記物体像を光電変換する撮像素子とを有することを特徴とする撮像装置。
【請求項１３】
請求項１２に記載の撮像装置と、
該撮像装置に対して着脱可能なレンズ装置とを有することを特徴とする撮像システム。
【発明の詳細な説明】
【技術分野】
【０００１】
本発明は、光反射面と液体又はゲル状態の透光性物質とを用いた光学ユニットに関し、特に撮像装置の光学ファインダ等の観察装置に好適な光学ユニットに関する。
【背景技術】
【０００２】
観察光学系において、ガラスプリズムに代えて用いられる光学部材として、特許文献１にて開示されているように、中空の容器に透明液体を充填したものがある。
【０００３】
また、特許文献２には、２枚の平板ガラスを蛇腹状の伸縮材料でつなぎ、その内部に透明液体を充填し、平板ガラスの角度を変化させることで光の屈折方向を変化させる可変頂角プリズムが開示されている。
【特許文献１】特開平０６−３０１１１３号公報（段落００４３、図２）
【特許文献２】特開平０８−０１５７５１号公報（段落００１１、図１）
【発明の開示】
【発明が解決しようとする課題】
【０００４】
しかしながら、単に透明容器に透明液体を入れただけの光学部材では、温度が変化することにより、透明液体と透明容器との熱膨張係数の差によって該光学部材の入射出面や内部の反射面が透明液体の内部圧力の変化で変形してしまう。このため、該光学部材及びこれを用いた観察光学系の光学性能が損なわれてしまう。
【０００５】
また、特許文献２にて開示された可変頂角プリズムでは、振動等の外力が加わると、一対の平板ガラスをつないでいる蛇腹状の伸縮材料が過度に変形して透明液体が充填されている領域の容積が変化する場合がある。これにより、透明液体に溶け込んでいる気体が析出して気泡が生じたり（気泡となって現れたり）平板ガラスから透明液体が剥離したりする。このようなプリズム内での気泡の出現や液体剥離は、観察光学系による良好な観察を妨げる。
【０００６】
本発明は、光反射面と液体等の透光性物質を用いた光学ユニットとして、光学性能を良好に維持できる光学ユニット、これを用いた観察光学系及び撮像装置を提供することを目的の１つとしている。
【課題を解決するための手段】
【０００７】
本発明の一側面としての光学ユニットは、光反射面と、該光反射面に面した領域を覆い、少なくとも一部に光透過部を有するカバー部材とを有する。そして、該領域は液体又はゲル状態の透光性物質で満たされており、該透光性物質に圧力を加える加圧機構を有することを特徴とする。
【０００８】
また、透光性物質の圧力の変化を一定範囲内に制限する調圧機構とを有していてもよい。
【０００９】
また、本発明の他の側面としての観察装置は、上記反射光学ユニットを介した物体像の観察を可能とすることを特徴とする。
【００１０】
なお、該観察装置と物体像を光電変換する撮像素子とを有する撮像装置、さらに該撮像装置とこれに対して着脱可能なレンズ装置とを有する撮像システムも本発明の他の側面を構成する。
【発明の効果】
【００１１】
本発明によれば、加圧機構によって透光性物質に適切な圧力を加えることで、該透光性物質内に気泡が発生したり透光性物質が光反射面や光透過部から剥離したりすることを回避でき、光学性能を良好に維持できる。
【００１２】
また、調圧機構を設ければ、透光性物質を一定範囲内の加圧状態に維持できるので、熱膨張量の差による光反射面や光透過部の変形を回避できる。これらを有することで、温度変化や外力作用があっても光学性能を良好に維持できる。
【００１３】
そして、このような光学ユニットを用いて観察装置や撮像装置を構成することで、温度変化や外力作用があっても物体像を良好に観察できる。
【発明を実施するための最良の形態】
【００１４】
以下、本発明の好ましい実施例について図面を参照しながら説明する。
【実施例１】
【００１５】
図１〜図４には、本発明の実施例１である光学ユニット（以下、反射光学ユニットという）を用いた観察装置としての光学ファインダを示している。この光学ファインダＦ１は、図５に示すデジタルカメラ等の撮像装置に実像式光学ファインダとして備えられる。
【００１６】
図５において、３０はカメラボディであり、３１はカメラボディ３０の前面に設けられた撮影レンズである。３２は上述した光学ファインダＦ１に被写体からの光を入射させるファインダ対物窓である。３３は測光窓、３４はレリーズボタン、３５はフラッシュ発光窓である。３６は撮影レンズ３１により形成された被写体像を光電変換し、被写体（物体）の画像を生成するＣＣＤセンサやＣＭＯＳセンサ等の撮像素子である。
【００１７】
図６には、従来の光学ファインダの光学系を示している。図６において、被写体からの光束Ａが対物レンズ２１，２２を通過して上下左右に像を反転するためのポロプリズム２３に入射面２３ａから入射する。光束Ａは、ポロプリズム２３内の全反射面２３ｂで下方向に向きを変えられ、さらに全反射面２３ｃで左方向に向きを変えられ、全反射面２３ｄに向かう。そして、全反射面２３ｄで上方向に向きを変えられてピント面２３ｅにて結像する。
【００１８】
ピント面２３ｅには、視野枠２７が形成されており、撮影範囲を表示できる。ピント面２３ｅから射出した光束Ｂは、反射ミラー２４によって接眼レンズ２５，２６の方向に向きを変えられて、不図示の観察者の眼に入射する。これにより、被写体像（ファインダ像）を観察できる。
【００１９】
図１〜図４に示す本実施例の光学ファインダＦ１では、図６における反射ミラー２４に相当する位置に、反射光学ユニットＲ１を配置している。
【００２０】
反射光学ユニットＲ１は、反射ミラー４と、該反射ミラー４の反射面（光反射面）に面する領域を覆う（囲む）カバー部材としての仕切り板７とを有する。仕切り板７には、光透光部としての入射面７ａと射出面７ｂとが形成されている。
【００２１】
なお、本実施例の仕切り板７は、透光性を有する（すなわち、透明な）材料により一体形成されている。ただし、光透過部に相当する部分を透明材料（透明部材）で形成し、他の部分が遮光性材料（遮光部材）で形成してもよい。
【００２２】
また、反射ミラー４と仕切り板７とで囲まれた領域には、液体又はゲル状態の透光性物質（以下、透明物質という）８が満たされている。透明物質８の屈折率は、１．０より大きい。また、仕切り板７と透明物質８は無色透明であることが好ましいが、必ずしも無色である必要はない。このことは、後述する以下の実施例でも同じである。
【００２３】
図１及び図２において、被写体からの光束Ａは、対物レンズ１，２を通ってプリズム３に入射面３ａから入射する。そして、プリズム３内の全反射面３ｂ，３ｃ，３ｄによって順次方向が変換され、ピント面３ｅから観察用の光束Ｂとして射出する。
【００２４】
光束Ｂは、仕切り板７の入射面７ａから反射光学ユニットＲ１に入射する。光束Ｂは、透明物質８の中を通過して反射ミラー４の反射面で反射されて、接眼レンズ５，６の方向へ曲げられる。そして、仕切り板７の射出面７ｂから射出し、接眼レンズ５，６を通って観察者の眼に到達する。これにより、被写体像（ファインダ像）を観察できる。
【００２５】
ここで、図６の従来の光学ファインダと本実施例の光学ファインダＦ１との違いは、ピント面から接眼レンズまでの光学光路にある。図６では、該光学光路に反射ミラー２４のみ配置されているために、接眼レンズ２５までの光学光路長は、それらの間の空気間隔に一致する。一方、本実施例では、仕切り板７の入射面７ａから射出面７ｂまでの光学光路長は、透明物質８の屈折率が空気の屈折率１．０よりも大きく設定されているため、スネルの法則により空気間隔よりも短くなる。
【００２６】
透明物質８としては、シリコンオイルやシリコンゴム等を用いることが可能であり、シリコンオイルやシリコンゴムであれば屈折率は１．４〜１．５程度になる。これにより、光学光路長がガラスにより形成されたペンタプリズムと同等となる。後述する他の実施例についても同様に光学光路長の短縮が可能である。
【００２７】
また、仕切り板７においては、空気との境界面と透明物質８との境界面との２つの境界面が存在する。境界面が多いと、接眼レンズ５，６からの逆入射光によってゴーストやフレアが発生する要因になる。このため、本実施例では、仕切り板７（入射出面７ａ，７ｂ）と透明物質８の屈折率を一致させている。これにより、上記２つの境界面のうち１つが実質的になくなるので、ゴーストやフレアの発生を抑えることができる。なお、ここにいう「一致」とは、完全に一致する場合と、光学的に一致しているとみなせる程度に小さな差を有する場合とを含む。
【００２８】
透明物質８としてシリコンオイルやシリコンゴム等を用い、仕切り板７をアクリル樹脂等で形成する場合、それぞれの屈折率はほぼ１．４〜１．５であり、境界面を実質的になくせる効果を得ることができる。このことは、後述する他の実施例についても同じである。
【００２９】
光学光路長の短縮方法として、接眼レンズ５，６を反射ミラー４に近づける（前方に移動させる）方法もある。しかし、図５に示すカメラボディ３０を構成する背蓋３０ａを前方に移動させることはカメラ全体のレイアウトに関わってくるために非常に難しい。背蓋３０ａの位置をそのままとして、接眼レンズ５，６だけを前方に移動させると、観察者の眼の位置が接眼レンズ６から離れてしまい、非常に見にくいファインダになってしまう。
【００３０】
これに対し、本実施例では、実際に接眼レンズ５，６の位置を反射光学ユニットＲ１に近づけなくても、光学的に接眼レンズ５，６の位置を反射光学ユニットＲ１に近づけたと同様の光学光路長の短縮という効果が得られる。これにより、ファインダ倍率を高くすることができる。
【００３１】
なお、本実施例の反射光学ユニットＲ１を用いて光学光路長を短縮することに対応して、接眼レンズ５，６の焦点距離は、従来の接眼レンズ２５，２６に比べて短く設定される。
【００３２】
図３には、本実施例の反射光学ユニットＲ１の外観を示している。また、図４には、該反射光学ユニットＲ１のＤ方向から見たときの断面を示している。
【００３３】
図４において、反射ミラー４と仕切り板７とは、これらによって囲まれる領域の気密性（つまりは、該領域に満たされる透明物質８に対する水密性）が保たれるように密着状態で接着されている。仕切り板７は、入射面７ａ、射出面７ｂ及び側面７ｃ，７ｄを有する無色透明材料により一体成形されている。
【００３４】
側面７ｃ，７ｄは、入射面７ａや射出面７ｂのようにファインダ光路上に配置される面ではない。このため、側面７ｄには、反射ミラー４と仕切り板７とによって囲まれた領域に圧力を発生させる、つまりは透明物質８に圧力を加えるための加圧機構が設けられている。加圧機構は、側面７ｃに設けてもよいし、両側面７ｃ，７ｄに設けてもよい。さらに、加圧機構は、調圧機能（調圧機構）を有する。ただし、調圧機構を有さない加圧機構を備えた反射光学ユニットも本発明に含まれる。
【００３５】
調圧機能付き加圧機構は、以下のように構成されている。仕切り板７の側面７ｄには、内側に透明物質８が満たされる領域につながる開口部を有する円筒部７ｅが形成されている。円筒部７ｅの内周には溝部７ｅｂが形成されている。該溝部７ｅｂには、上記気密性を保持するためのシーリング用のＯリング１０が嵌め込まれている。Ｏリング１０の内周には、図の左右方向に移動可能な円筒形状の調圧ピストン９が配置されている。
【００３６】
また、円筒部７ｅの外周には、ねじ部７ｅａが形成されており、該ねじ部７ｅａには、内圧調整キャップ１２の内側ねじ部１２ａが係合している。内圧調整キャップ１２と調圧ピストン９との間には圧縮バネ１１が配置され、調圧ピストン９はこの圧縮バネ１１によって常に右方向へ押される。これにより、反射ミラー４と仕切り板７とによって囲まれた領域を満たす透明物質８に、圧力（内圧）が加えられる。
【００３７】
内圧調整キャップ１２を締め込むことによって、圧縮バネ１１を介して調圧ピストン９が右方向に押し込まれる。これにより、透明物質８の内圧を高くすることができる。また、内圧調整キャップ１２を緩めることによって、圧縮バネ１１の付勢力が弱まり、透明物質８によって調圧ピストン９が左方向に押し出される。これにより、透明物質８の内圧を低くすることができる。すなわち、本実施例の加圧機構は、透明物質８に加える圧力を変更することができる。
【００３８】
内圧調整キャップ１２による内圧設定は、主として常温における透明物質８の内圧（初期圧力）を設定するために行われる。なお、反射光学ユニットの製造段階で発生する透明物質８内の気泡については、別途ゴム栓等を設けることで除去する。
【００３９】
また、振動や落下などの外力が作用した場合に、加圧機構によって透明物質８にある程度の圧力を加えているので、透明物質８内に溶け込んでいる気体が気泡となって出現することを抑えることができる。これにより、透明物質８内に気泡が存在することによるファインダ像の劣化を防止できる。
【００４０】
また、温度変化によって透明物質８の体積が膨張したり収縮したりすると、それに応じて調圧ピストン９が左右に移動することで、透明物質８の内圧の変動を制限する、言い換えれば特定の変動範囲内に抑える、つまりは内圧を一定に保つことができる。
【００４１】
このような調圧機能を持たないと、特に透明物質８の体積が膨張することによってファインダ光学光路上に配置されている仕切り板７の入射面７ａや射出面７ｂ、さらには反射ミラー４が変形し、ファインダ像が歪む等して見にくいものとなってしまう。
【００４２】
以上のように、調圧機能付き加圧機構を備えることで、本実施例の反射光学ユニットＲ１は、外力の作用や温度変化があっても良好な光学性能を維持できる。したがって、該反射光学ユニットＲ１を用いた光学ファインダＦ１は、カメラに振動が加わったりカメラの使用温度環境が変化したりしても、良好なファインダ像を提示することができる。
【００４３】
また、本実施例では、調圧機能付き加圧機構を反射ミラー４と仕切り板７のうち光学有効部である入射出面７ａ，７ｂ以外の側面７ｄに設けている。このため、例えば入射出面７ａ，７ｂを大きくして、そのうちの光学有効部以外の領域に加圧機構を設ける場合に対して、反射光学ユニットＲ１を小型に構成することができる。これにより、カメラの大型化を回避できる。また、光学有効部を含まない側面７ｄに加圧機構を設けることによって、比較的大きな面積を占める加圧機構を設けることができる。したがって、透明物質８の内圧の微調整も可能となる。
【実施例２】
【００４４】
図７には、本発明の実施例２である撮像装置としての一眼レフカメラシステムの構成を示している。
【００４５】
図８には、従来の一眼レフカメラの構成を示している。被写体からの光束Ａは、交換レンズ（レンズ装置）１０１を通過してカメラ１５０内のクイックリターンミラー１０２で反射され、ピント板１０３上で結像する。ピント板１０３に形成された被写体像（光束Ｂ）は、ルーフミラー１０４と反射ミラー１０５とによって上下左右に反転されて正立正像となる。そして、光束Ｂは、接眼レンズ１０６，１０７を通して不図示の観察者の眼に到達する。これにより、被写体像（ファインダ像）を観察できる。
【００４６】
クイックリターンミラー１０２が交換レンズ１０１からの光束Ａの光路外に退避すると、該光束Ａにより形成される被写体像は、ＣＣＤセンサやＣＭＯＳセンサ等の撮像素子１３５により光電変換され、これにより被写体画像が生成される。なお、後述する本実施例を示す図７において、図８と共通する構成要素には同じ符号を付している。
【００４７】
図８に示す従来の光学ファインダは、特に高価なペンタプリズムの使用を避けることを目的として、ルーフミラー１０４と反射ミラー１０５とを用いて構成されている。この構成では、接眼レンズ１０６，１０７とピント板１０３との間の光学光路長が長くなってしまい、ファインダ倍率を拡大してファインダ像を見やすくすることが難しい。接眼レンズ１０６，１０７を反射ミラー１０５に近づけることでファインダ倍率の拡大が可能であるが、実施例１と同様な理由によりそれは現実的ではない。
【００４８】
一方、図７に示す本実施例では、ルーフミラー１０４の反射面と反射ミラー１０５の反射面とに面する領域をカバー部材である仕切り板１１３，１１４で覆い（囲み）、その内側の密閉された領域に透明物質８を満たして反射光学ユニットＲ２を構成している。
【００４９】
仕切り板１１３には、光透過部としての入射面１１３ａと射出面１１３ｂとが形成されている。
【００５０】
なお、本実施例の仕切り板１１３も、透光性を有する（すなわち、透明な）材料により一体形成されている。ただし、光透過部に相当する部分を透明材料（透明部材）で形成し、他の部分が遮光性材料（遮光部材）で形成してもよい。一方、仕切り板１１４は、ファインダ光路を形成する部材ではないので、透明でなくてもよい。
【００５１】
透明物質８は、実施例１と同様に、屈折率が１．０より大きい液体又はゲル状態の透光性物質である。このような透明物質８が満たされた反射光学ユニットＲ２を用いることで、接眼レンズ１１１，１１２等の光学要素のレイアウトを変更することなく、ガラス製のペンタプリズムを用いる場合と同様に、ファインダ倍率を拡大することできる。
【００５２】
つまり、仕切り板１１３の入射面１１３ａから射出面１１３ｂまでの光学光路長は、透明物質８の屈折率が空気の屈折率１．０よりも大きく設定されているため、スネルの法則により空気間隔よりも短くなる。
【００５３】
なお、本実施例の反射光学ユニットＲ２を用いて光学光路長を短縮することに対応して、接眼レンズ１１１，１１２の焦点距離は、従来（図８）の接眼レンズ１０６，１０７に比べて短く設定される。
【００５４】
また、本実施例の反射光学ユニットＲ２において、仕切り板１１４はファインダ光学光路上に設けられていないので、ここに調圧機能付き加圧機構を設けている。すなわち、仕切り板１１４に、内側に透明物質８が満たされる領域につながる開口部を有する円筒部１１４ａが形成されている。そして、この円筒部１１４ａ回りに、実施例１と同じように、Ｏリング１０、調圧ピストン９、内圧調整キャップ１２及び圧縮バネ１１が設けられている。この調圧機能付き加圧機構の動作及び効果は、実施例１と同じである。
【００５５】
調圧機能を持たないと、特に透明物質８の体積が膨張することによってファインダ光学光路上に配置されている仕切り板１１３の入射面１１３ａや射出面１１３ｂ、ルーフミラー１０４及び反射ミラー１０５が変形する。これにより、ファインダ像が歪む等して見にくいものとなってしまう。
【００５６】
以上のような調圧機能付き加圧機構を備えることで、本実施例の反射光学ユニットＲ２は、外力の作用や温度変化があっても良好な光学性能を維持できる。したがって、該反射光学ユニットＲ２を用いた光学ファインダＦ２は、カメラに振動が加わったりカメラの使用温度環境が変化したりしても、良好なファインダ像を提示することができる。
【実施例３】
【００５７】
図９には、本発明の第３の実施例である一眼レフカメラシステムを示している。
【００５８】
本実施例のカメラで用いられている光学ファインダＦ３内の反射光学ユニットＲ３は、実施例２の変形例であり、仕切り板１１３を仕切り板２０１に変更した例である。本実施例において、実施例２と共通する構成要素には、実施例２と同符号を付している。
【００５９】
仕切り板２０１は、仕切り板１１４とともにルーフミラー１０４の反射面と反射ミラー１０５の反射面とに面する領域を囲む部材であり、入射面２０１ａ及び射出面２０１ｂを有する。該囲まれた領域には、液体又はゲル状態の透明物質８が満たされている。
【００６０】
入射面２０１ａは、実施例２のピント板１０３の機能を果たすように、拡散面として形成されている。これにより、ピント板１０３が不要になり、コストダウンが可能であるだけでなく、スペース的な余裕ができるので、そのスペース分だけ反射光学ユニットＲ３をクイックリターンミラー１０２の方向へ近づけることができる。これにより、実質的に光学光路長を短縮することができ、カメラの小型化を図ったりファインダ倍率の設定（拡大）自由度を高めたりすることができる。
【００６１】
さらに、仕切り板２０１の射出面２０１ｂには、接眼光学系の一部を構成するように、曲面形状、つまりは光学パワーを持たせている。これにより、接眼光学系の光学全長を短縮したり接眼レンズ２０２，２０３の設計自由度を高めたりすることができる。このため、ファインダ倍率のさらなる拡大も可能になる。なお、射出面２０１ｂの曲面は，図に示すように接眼レンズ側に凸となる面だけではなく、凹となる面でもよい。また、曲面は、球面でも非球面形状でもよい。また、拡散面や曲面を、射出面２０１ｂ及び入射面２０１ａにそれぞれ設けることも可能である。
【００６２】
なお、本実施例の反射光学ユニットＲ３も、実施例２と同様に、調圧機能付き加圧機構を有し、外力の作用や温度変化があっても、良好な光学性能を維持できる。
【実施例４】
【００６３】
図１０には、本発明の実施例４である反射光学ユニットの構成を示している。この反射光学ユニットは、実施例１で説明したカメラ内の光学ファインダの一部として用いられる。  図１０は、実施例１の図４に相当する断面を示す。
【００６４】
本実施例の反射光学ユニットＲ４において、仕切り板３０１は、実施例１の仕切り板７に相当し、不図示の入射面と射出面３０１ｂと側面３０１ｃ，３０１ｄとを有する。仕切り板３０１は、無色透明の材料で一体成形されている。
【００６５】
仕切り板３０１は、反射ミラー４の反射面に面する領域を覆い（囲み）、該領域には透明物質８が満たされている。
【００６６】
ファインダ光路上に配置されていない側面３０１ｄには、調圧機能付き内圧機構が設けられている。
【００６７】
具体的には、側面３０１ｄには、内側に透明物質８が満たされる領域につながる開口部を有する円筒部３０１ｅが形成されている。円筒部３０１ｅの内周には溝部３０１ｅｂが形成されており、この溝部３０１ｅｂには、上記領域の気密性を保つためのシーリング用のＯリング３０２が嵌め込まれている。
【００６８】
また、円筒部３０１ｅの内周には、ねじ部３０１ｅａが形成されており、このねじ部３０１ｅａには、調圧リング３０３の外周に形成されたねじ部３０３ａが係合している。調整リング３０３の外周には、Ｏリング３０２の内周部が圧接している。
【００６９】
調整リング３０３は、中空の円筒形状を有し、その透明物質側の端部には、該調整リング３０３の内側開口を気密状態で塞ぐように、柔軟性（弾性）のある薄膜３０４が接着により取り付けられている。薄膜３０４は、シリコンゴムやブチルゴム等のシートにより形成されている。
【００７０】
調整リング３０３を回転させると、ねじ部３０１ｅａ，３０３ａの作用によって調整リング３０３が図中の右方向に移動する。このとき、透明物質８は薄膜３０４によって押し込まれ、透明物質８に圧力が加わる。透明物質８に加える圧力は、調整リング３０３を回転させることで増減することができる。
【００７１】
加圧機構によって透明物質を加圧することで、振動や落下などの外力が作用した場合に、透明物質８内に溶け込んでいる気体が気泡となって出現することを抑えることができる。これにより、透明物質８内に気泡が存在することによるファインダ像の劣化を防止できる。
【００７２】
また、温度変化によって透明物質８の体積が膨張したり収縮したりすると、それに応じて柔軟性を有する薄膜３０４が変形する。このため、透明物質８の内圧の変動を制限する、言い換えれば特定の変動範囲内に抑える、つまりは内圧を一定に保つことができる。
【００７３】
このような調圧機能を持たないと、特に透明物質８の体積が膨張することによってファインダ光学光路上に配置されている仕切り板３０１の入射面や射出面３０１ｂ、さらには反射ミラー４が変形し、ファインダ像が歪む等して見にくいものとなってしまう。
【００７４】
以上のように、調圧機能付き加圧機構を備えることで、本実施例の反射光学ユニットＲ４は、外力の作用や温度変化があっても良好な光学性能を維持できる。したがって、該反射光学ユニットＲ４を用いた光学ファインダは、カメラに振動が加わったりカメラの使用温度環境が変化したりしても、良好なファインダ像を提示することができる。
【００７５】
さらに、本実施例の調圧機能付き加圧機構は、実施例１の調圧機能付き加圧機構と比べて構造が簡単であるとともに、内圧調整キャップ１２を用いない分、仕切り板３０１の側面３０１ｄからの突出量が小さい。このため、コンパクトな反射光学ユニットとすることができ、これを搭載するカメラの小型化にも有効である。
【００７６】
なお、上記各実施例では、調圧機構と加圧機構とが一体的に構成されている場合について説明したが、これらをファインダ光路上に配置されていない面に別々に設けてもよい。
【００７７】
また、上記各実施例では、カメラの光学ファインダの一部に反射光学ユニットを設けた場合について説明したが、本発明の反射光学ユニットは、カメラの光学ファインダ以外の観察装置の光学系に用いることもできる。
【図面の簡単な説明】
【００７８】
【図１】本発明の実施例１のカメラに用いられる光学ファインダの構成を示す斜視図。
【図２】実施例１の光学ファインダの断面図。
【図３】実施例１の光学ファインダに用いられる反射光学ユニットの斜視図。
【図４】実施例１の反射光学ユニットの断面図。
【図５】実施例１のカメラを示す斜視図。
【図６】従来の光学ファインダの構成例を示す図。
【図７】本発明の実施例２のカメラシステムに用いられる光学ファインダの構成を示す断面図。
【図８】従来の光学ファインダの構成例を示す図。
【図９】本発明の実施例３のカメラシステムに用いられる光学ファインダの構成を示す断面図。
【図１０】本発明の実施例４の反射光学ユニットの断面図。
【符号の説明】
【００７９】
１，２  対物レンズ
３  ポロプリズム
４  反射ミラー
５，６  接眼レンズ
７，１１３，１１４，２０１，３０１  仕切り板
８  液体又はゲル状態の透明物質
９  調圧ピストン
１０，３０２  Ｏリング
１１  圧縮バネ
１２  内圧調整キャップ
３０３  調整リング
３０４  薄膜
【図２】
2008116540.tif 000003
【図６】
2008116540.tif 000004
【図７】
2008116540.tif 000005
【図９】
2008116540.tif 000006
【図１】
2008116540.tif 000007
【図３】
2008116540.tif 000008
【図４】
2008116540.tif 000009
【図５】
2008116540.tif 000010
【図８】
2008116540.tif 000011
【図１０】
2008116540.tif 000012